(57)【要約】【課題】  成形プラスチック縮尺モデルキットの部分において複雑な表面細部を達成させるための技法を提供する。【解決手段】  プラスチック部品を成形するための金型であって、該プラスチック部品の全体形状を画成するキャビティを含み、複雑な細部表面を有する成形プラスチック部品に対応する領域を提供するための表面模様付きのインサートを有する。【選択図】図３
0003112321.tif 000002
【実用新案登録請求の範囲】
【請求項１】
プラスチック部品を成形するための金型であって、該プラスチック部品の全体形状を画成するキャビティを含み、複雑な細部表面を有する成形プラスチック部品に対応する領域を提供するための表面模様付きのインサートを有することを特徴とする金型。
【請求項２】
金型が該キャビティから延出する窪みを有し、該窪みに上記インサートが嵌合するようになっている請求項１記載の金型。
【請求項３】
該窪みが段部を有し、上記インサートがそれに対応する段部を有し、これら段部が互いに当接し、所望とする複雑な細部表面の領域を位置決めするようになっている請求項２記載の金型。
【請求項４】
該インサートが高品質材料から作られ、上記表面模様がこれに対し機械加工又はエッチングされたものである請求項１記載の金型。
【請求項５】
該窪みを複数有し、それぞれが上記キャビティから延出している請求項２記載の金型。
【請求項６】
該金型が、上記キャビティに挿入される部分を有する内側金型との組み合わせで使用される外側金型である請求項１記載の金型。
【請求項７】
該インサートが、該金型を形成する材料以外の材料から作られている請求項１記載の金型。
【請求項８】
該複雑な細部表面が、第2次世界大戦のドイツ国陸軍戦車の縮尺モデルのアプライド・ジメルト・ペースト（applied Zimmerit paste）の様相を与えるものである請求項１記載の金型。
【考案の詳細な説明】
【技術分野】
【０００１】
本考案はプラスチック成形品に係わる。特に、本考案は、非限定的に、成形プラスチック縮尺モデルキットの部分において複雑な表面細部を達成させるための技法に関する。
【背景技術】
【０００２】
多くの部品の“スケルトン"からなり、これらを個々に取り除き説明シートに従って互いに接着し、縮尺（スケール）モデルを作成するようにしたプラスチックモデルキットが何年もの前から知られている。同様の部品のスケルトンはプラスチックモデルを組立てる以外に、更に目的にも提供されている。例えば、玩具の人形又は他の分野で使用される部材などの多数の小さな完成部品を提供するのに使用されている。
【０００３】
このような部品のスケルトンを形成する従来の技法は、対向する一対の金型からなり、これらが協同して流路を画成すると共に複数のキャビティを画成しその中にこの流路からプラスチック材料が流れるようにしたものを提供することからなる。金型を形成する材料は、完成部品上の所望とする複雑な表面細部を形成させるのには必ずしも十分なものではない。例えば、戦車の縮尺モデルの旋回砲塔が、同一スケールの旋回砲塔の微細な表面形状を模倣した複雑な表面細部を有するものであれば、より現実味に帯びたものとなるであろう。縮尺モデルのこのような細部は非常に微細であって、拡大鏡の補助なしでは実際に正しく見ることができないものであるかも知れない。公知の成形技法の金型においては、そのような細部の逆を達成することができない。
【考案の開示】
【考案が解決しようとする課題】
【０００４】
本考案の目的は上述の欠点を克服ないし実質的に改善すること、および/又は、より概略的には複雑な表面細部を有するプラスチック部品を成形するための改善された技法を提供することである。
【課題を解決するための手段】
【０００５】
プラスチック部品を成形するための金型であって、該部品の総体的形状を画成すると共に、複雑な表面細部を有する成形プラスチック部品についての領域を提供するための表面模様付きインサートを有するキャビティを含む金型が提供される。
好ましくは、この金型はこのキャビティから延び、かつ、インサートが嵌挿される窪みを有する。
【０００６】
好ましくは、この窪みは段部を有し、上記インサートは対応する段部を有し、これらの段部が互いに当接して、所望とする複雑な表面細部を位置決めさせるようになっている。
好ましくは、上記インサートは高品質材料からなり、表面模様がそれに機械加工ないしエッチングされている。
【０００７】
好ましくは、上記金型は、夫々、上記キャビティから延出した複数の窪みを有する。
好ましくは、上記金型は、上記キャビティ内に突出する部分を有する内側金型と組合わせて使用される外側金型である。
【０００８】
好ましくは、上記インサートは、上記金型を構成するものとは異なる材料から作る。
好ましくは、上記の複雑な表面細部が第2次世界大戦のドイツ国陸軍戦車の縮尺モデルのアプライド・ジメルト・ペースト（applied Zimmerit paste）の様相を与えるものである。
【考案を実施するための最良の形態】
【０００９】
添付図面の第1図は、内側金型2上に載置された従来のプラスチック製の戦車の旋回砲塔10の縮尺モデルを概略的に示している。この内側金型2は、旋回砲塔10の基本的内側中空形状を単に画成するものであり、関連する細部表面を提供するものではない。旋回砲塔10の外側表面は低いレベルの複雑性の細部表面を示している。
【００１０】
図２は内側金型2上に載置された第2次世界大戦のドイツ国陸軍戦車の旋回砲塔20のプラスチック縮尺モデルを概略的に示している。この内側金型2は事実上、図1に示すものと同一である。この旋回砲塔20の外側表面は、陸軍戦車の旋回砲塔の“Zimmerit paste”抗地雷カモフラージ細部を真似た複雑な細部表面の領域21を示している。1943年において、ドイツ国化学会社、Zimmerは、硫酸バリウム、ポリビニルアセテート、オーカー顔料、木屑および硫化亜鉛を含む材料の組合せを製造した。これによりペーストが形成され、これは鉄表面上に拡げた時、爆発性の地雷が磁気的に戦車に接着するのを防止するものである。好ましい実施例では、この複雑な細部表面の領域は、このペーストを模倣している。
【００１１】
添付図面の第３図は、外側金型１を概略的に示している。これら内側および外側金型はプラスチック成形技術分野で周知の材料から作られている。これら金型１と金型２との間にはプラスチック流路が形成されていて、これにより溶融プラスチック材料が加熱、加圧下で流動可能となっていて、これら金型を実質的に結合させたとき、それらの間に仕上り部材の厚みに相当する空間を画成するキャビティにこの溶融プラスチック材料が導入されるようになっている。
【００１２】
外側金型１は主キャビティ３を画成し、そこから複数の窪み４が延出している。各窪み４は図示のように、横切って延びた段部５を有する。各窪み４は同じく段部７を有するインサート６を受理するようになっている。なお、この段部７は各段部５と圧接し、各インサートが金型上の所定位置に正確に位置決めされるようになっている。各インサートは主キャビティ３に対し内側に対向する面に複雑な細部表面の領域８を有している。この複雑な細部表面は各インサート６の領域８に対し、手彫り、機械加工、化学的エッチング、レーザー光によりエッチング又はその他の手段で形成したものである。これらインサートは、非鉄金属、セラミック又はその他の高品質材料であって、例えば鉄金属における腐蝕のように経時的劣化を生じさせることなく、表面に複雑に加工することができたり、あるいはその他、模様付けすることができるものから作られている。これらインサートは密着的嵌合、接着剤又はネジなどの他の手段により各窪み４内に固定することができる。
【００１３】
この金型全体は一般に、流路のスケルトンにより互いに接続したキャビティ４を含む多数の金型を有している。これらの流路を介して流れるプラスチック材料はスケルトンを形成し、プラスチック部品は後にモデル製作者によりこのスケルトンから取り外される。
【００１４】
なお、本考案について、当業者に自明な種々の改良、変更は本考案の範囲を超えるものでないことを理解されたい。例えば、内側金型は、形成すべき部品の性質次第で、模様付きインサートを含むものであってもよい。
【図面の簡単な説明】
【００１５】
【図１】内側金型上に載置されたプラスチック製の戦車の旋回砲塔の従来の縮尺モデルを示す概略的斜視図であって、典型的な低いレベルの表面細部を示している。
【図２】内側金型上に載置されたプラスチック製の戦車の旋回砲塔の縮尺モデルを示す概略的斜視図であって、その外表面には複雑な表面細部の領域が示されている。
【図３】図２に示す戦車の旋回砲塔の縮尺モデルを形成するのに使用される外側金型の概略的分解斜視図。
【図４】図２に示すプラスチック製戦車の旋回砲塔の縮尺モデルであって、図3の外側金型内に配置された状態を示す概略的部分切欠斜視図。
【符号の説明】
【００１６】
１    外側金型
２    内側金型
３    主キャビティ
４    窪み
５    段部
６    インサート
７    段部
【図１】
0003112321.tif 000003
【図２】
0003112321.tif 000004
【図３】
0003112321.tif 000005
【図４】
0003112321.tif 000006